(57)【要約】【課題】映像ディスプレイの周囲に配置可能なスピーカアレイにおいて、実際のスピーカが配置されていない仮想音像からの音波の合成波面や音の周波数特性を改善する。【解決手段】本発明に係るスピーカアレイ駆動装置１は、スピーカが存在しない領域を内部に含むスピーカアレイ４０と、前記スピーカアレイの駆動信号を計算する駆動信号計算手段２０と、を備え、前記駆動信号計算手段２０は、前記スピーカが存在しない領域に仮想音像を形成する場合、前記仮想音像の位置に基づく仮想スピーカアレイを構成し、前記仮想スピーカアレイを駆動した場合に受音位置で得られる音波と等しい音波を前記スピーカアレイ４０から放射するように、前記スピーカアレイ４０の前記駆動信号を補正する、ことを特徴とする。【選択図】図３
2013051643.tif 000002
【特許請求の範囲】
【請求項１】
スピーカが存在しない領域を内部に含むスピーカアレイと、
前記スピーカアレイの駆動信号を計算する駆動信号計算手段と、を備え、
前記駆動信号計算手段は、
前記スピーカが存在しない領域に仮想音像を形成する場合、前記仮想音像の位置に基づく仮想スピーカアレイを構成し、前記仮想スピーカアレイを駆動した場合に受音位置で得られる音波と等しい音波を前記スピーカアレイから放射するように、前記スピーカアレイの前記駆動信号を補正する、ことを特徴とするスピーカアレイ駆動装置。
【請求項２】
前記スピーカアレイは、前記スピーカが存在しない領域に表示部を設置可能であり、
前記駆動信号計算手段は、
マルチチャネル音響方式のチャネルのうち、視聴者前方のチャネルであって、前記表示部内に位置するチャネルの駆動信号について、当該チャネルの位置に基づく前記仮想スピーカアレイを構成して前記駆動信号の補正を行う、ことを特徴とする請求項１に記載のスピーカアレイ駆動装置。
【請求項３】
スピーカが存在しない領域を内部に含むスピーカアレイと、
前記スピーカアレイの駆動信号を計算する駆動信号計算手段と、を備えるスピーカアレイ駆動装置におけるスピーカアレイ駆動方法であって、
前記駆動信号計算手段が、
前記スピーカが存在しない領域に仮想音像を形成する場合、前記仮想音像の位置に基づく仮想スピーカアレイを構成し、前記仮想スピーカアレイを駆動した場合に受音位置で得られる音波と等しい音波を前記スピーカアレイから放射するように、前記スピーカアレイの前記駆動信号を補正する補正ステップを含む、ことを特徴とするスピーカアレイ駆動方法。
【発明の詳細な説明】
【技術分野】
【０００１】
この発明は、スピーカアレイ駆動装置およびスピーカアレイ駆動方法に関する。
【背景技術】
【０００２】
将来、スーパーハイビジョンを放送する場合には、スーパーハイビジョン音響である２２．２チャネル音響を家庭でどのように再生するかが課題となる。その１つの方法として、映像ディスプレイと一体化したＷＦＳ（Wave Field Synthesis）対応のスピーカアレイによる再生方式がある。この方式は、映像ディスプレイの周りに備えたスピーカアレイにより、２２．２チャネル音響の前方１１チャネルの位置に、その仮想音像を形成するものである。ここで、ＷＦＳは、直線状のスピーカアレイや、音場を取り囲む直線上あるいは曲線状アレイによって音の場を再現する方法であり、５．１チャネルのスピーカアレイ再生技術などが実用化されている（例えば、非特許文献１参照）。
【先行技術文献】
【非特許文献】
【０００３】
【非特許文献１】D. de Vries, "Wave Field Synthesis," AES monograph, 2009.
【発明の概要】
【発明が解決しようとする課題】
【０００４】
映像ディスプレイの周りに配した窓枠状のスピーカアレイの場合には、特に映像ディスプレイの中央あるいはその後方に仮想音像を形成する場合に、その近傍に実際のスピーカが存在せず、スピーカからの距離も遠いため、仮想音像からの音波の合成波面や音の周波数特性が損なわれたりすることがあり、特に２２．２チャネル音響を映像ディスプレイ一体型のスピーカアレイで再生する場合の問題となっていた。
【０００５】
したがって、かかる点に鑑みてなされた本発明の目的は、映像ディスプレイの周囲に配置可能なスピーカアレイにおいて、実際のスピーカが配置されていない仮想音像からの音波の合成波面や音の周波数特性を改善可能なスピーカアレイ駆動装置およびスピーカアレイ駆動方法を提供することにある。
【課題を解決するための手段】
【０００６】
上述した諸課題を解決すべく、本発明に係るスピーカアレイ駆動装置は、スピーカが存在しない領域を内部に含むスピーカアレイと、前記スピーカアレイの駆動信号を計算する駆動信号計算手段と、を備え、前記駆動信号計算手段は、前記スピーカが存在しない領域に仮想音像を形成する場合、前記仮想音像の位置に基づく仮想スピーカアレイを構成し、前記仮想スピーカアレイを駆動した場合に受音位置で得られる音波と等しい音波を前記スピーカアレイから放射するように、前記スピーカアレイの前記駆動信号を補正する、ことを特徴とするものである。
【０００７】
また、前記スピーカアレイは、前記スピーカが存在しない領域に表示部を設置可能であり、前記駆動信号計算手段は、マルチチャネル音響方式のチャネルのうち、視聴者前方のチャネルであって、前記表示部内に位置するチャネルの駆動信号について、当該チャネルの位置に基づく前記仮想スピーカアレイを構成して前記駆動信号の補正を行う、ことが好ましい。
【０００８】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【０００９】
例えば、本発明に係るスピーカアレイ駆動装方法は、スピーカが存在しない領域を内部に含むスピーカアレイと、前記スピーカアレイの駆動信号を計算する駆動信号計算手段と、を備えるスピーカアレイ駆動装置におけるスピーカアレイ駆動方法であって、前記駆動信号計算手段が、前記スピーカが存在しない領域に仮想音像を形成する場合、前記仮想音像の位置に基づく仮想スピーカアレイを構成し、前記仮想スピーカアレイを駆動した場合に受音位置で得られる音波と等しい音波を前記スピーカアレイから放射するように、前記スピーカアレイの前記駆動信号を補正する補正ステップを含む、ことを特徴とするものである。
【発明の効果】
【００１０】
本発明に係るスピーカアレイ駆動装置およびスピーカアレイ駆動方法によれば、映像ディスプレイの周囲に配置可能なスピーカアレイにおいて、実際のスピーカが配置されていない仮想音像からの音波の合成波面や音の周波数特性を改善することができる。
【図面の簡単な説明】
【００１１】
【図１】本発明の一実施形態に係るスピーカアレイ駆動装置のスピーカアレイ配置を示す図である。
【図２】２２．２チャネル音響の前方チャネルの位置を示す図である。
【図３】本発明の一実施形態に係るスピーカアレイ駆動装置の機能ブロックを示す図である。
【図４】実スピーカアレイと仮想スピーカアレイとの対応の一例を示す図である。
【図５】本発明に関するシミュレーション環境を示す図である。
【図６】従来の方法によりディスプレイの左上の部分に仮想音像を形成した場合の合成波面と周波数特性を示す図である。
【図７】従来の方法によりディスプレイの中央部分に仮想音像を形成した場合の合成波面と周波数特性を示す図である。
【図８】本発明の方法により、ディスプレイの中央部分に仮想音像を形成した場合の合成波面と周波数特性を示す図である。
【図９】実スピーカアレイと仮想スピーカアレイとの対応の変形例を示す図である。
【発明を実施するための形態】
【００１２】
以降、諸図面を参照しながら、本発明の実施態様を詳細に説明する。ここで、以下の説明においては、スピーカアレイに入力される駆動信号として、スーパーハイビジョン音響である２２．２チャネル音響を例に説明を行うが、本発明は２２．２チャネル音響のみに限定されるものではない点に留意されたい。
【００１３】
図１は、本発明の一実施形態に係るスピーカアレイ駆動装置１のスピーカアレイ配置を示す図である。スピーカアレイ４０は、スピーカが存在しない領域を内部に含むスピーカアレイであって、好適には、図示の通り映像ディスプレイ等の表示部ＤＩＳをスピーカが存在しない領域に設置可能なものである。ここで、「スピーカが存在しない領域を内部に含む」とは、必ずしもスピーカアレイ４０が閉領域を形成する必要はなく、閉領域／開領域を問わず、スピーカアレイ４０によって規定される任意の領域（空間）内に、スピーカが存在しない領域を含むことを意図したものである。例えば、図１において、表示部ＤＩＳの上辺および下辺にスピーカアレイが存在せず、左辺および右辺のみにスピーカアレイが存在する構成についても、左辺および右辺のスピーカアレイが規定する領域にはスピーカが存在しない領域（表示部ＤＩＳ）が含まれるため、本発明に係るスピーカアレイの範囲に含まれるものである。なお、以降の説明において、スピーカアレイ駆動装置１の水平方向をｘ軸、垂直方向をｙ軸、光軸方向をｚ軸とし、表示部ＤＩＳの中央を原点とする座標系を用いて説明を行うものとする。
【００１４】
ここで、２２．２チャネル音響は、視聴者より高い位置に配置された上層の９チャネルと、視聴者の耳の高さの位置に配置された中層の１０チャネルと、視聴者より低い位置に配置された下層の３チャネルと、低音用ＬＦＥの２チャネル（０．２チャネル）とから構成される。２２．２チャネル音響のうち、視聴者の前方の１１チャネルは、上層の３ｃｈ、中層の５ｃｈ、および下層の３ｃｈから構成される。
【００１５】
図２は、２２．２チャネル音響の前方１１チャネルの位置を示す図である。表示部ＤＩＳの上辺にはＴｐＦＬ、ＴｐＦＣ、ＴｐＦＲの上層３チャネル、表示部ＤＩＳの垂直方向中央にはＦＬ、ＦＬｃ、ＦＣ、ＦＲｃ、ＦＲの中層５チャネル、表示部ＤＩＳの下辺にはＢｔＦＬ、ＢｔＦＣ、ＢｔＦＲの下層３チャネルが配置されている。特に、中層５チャネルのうち、ＦＬｃ、ＦＣ、ＦＲｃの３チャネルは表示部ＤＩＳ内（スピーカが存在しない領域）に位置しており、実際のスピーカが存在しないチャネルとなっている。
【００１６】
ここで、表示部ＤＩＳの中央付近のチャネルに対して安定した仮想音像を形成するためには、表示部ＤＩＳの中央に配したスピーカアレイを用いるのが良いことは言うまでもない。このため、本発明に係るスピーカアレイ駆動装置１は、実際のスピーカアレイ４０の駆動信号の計算上、このようなスピーカアレイを仮想的に構成し、この仮想スピーカアレイによって表示部ＤＩＳ内に仮想音像を形成した場合の音波から、実際のスピーカアレイ４０を駆動する駆動信号を補正するものである。
【００１７】
図３は、本発明の一実施形態に係るスピーカアレイ駆動装置１の機能ブロックを示す図である。スピーカアレイ駆動装置１は、信号分配器１０と、駆動信号計算手段２０と、増幅器３０と、スピーカアレイ４０と、を備える。
【００１８】
信号分配器１０は、入力された２２．２チャネル音響信号を、各チャネルの信号に分配して駆動信号計算手段２０に出力する。
【００１９】
駆動信号計算手段２０は、２２．２チャネル音響の各チャネルの信号から、スピーカアレイ４０に供給する駆動信号を計算する。特に、駆動信号計算手段２０は、実際のスピーカが存在しない領域、例えば表示部ＤＩＳの中央付近に仮想音像を形成する場合、仮想音像の位置に基づき仮想的なスピーカアレイを構成し、この仮想的なスピーカアレイを駆動した場合に受音位置（聴取位置）で合成される音波と等しい音波を実際のスピーカアレイ４０から放射するように、スピーカアレイ４０に供給する駆動信号を補正するものである。例えば、駆動信号計算手段２０は、２２．２チャネル音響の場合、実スピーカアレイ４０上に存在しないチャネルであるＦＬｃ、ＦＣ、ＦＲｃの中層３チャネルについて、仮想的なスピーカアレイを構成し、スピーカアレイ４０に供給する駆動信号を補正することができる。以降の説明においては、適宜、実際のスピーカアレイであるスピーカアレイ４０およびスピーカアレイ４０に含まれるスピーカを「実スピーカアレイ４０」および「実スピーカ」と称し、表示部ＤＩＳ内に仮想的に配される仮想的なスピーカアレイおよび仮想的なスピーカアレイに含まれるスピーカを「仮想スピーカアレイ」および「仮想スピーカ」と称するものとする。
【００２０】
図４は、実スピーカアレイ４０と仮想スピーカアレイとの関係を示す図である。例えば、２２．２チャネル音響のうち、表示部ＤＩＳ中央のＦＣチャネルの仮想音像を形成する場合、図２に示すように、ＦＣチャネルの位置には実スピーカアレイ４０は存在しない。そのため、駆動信号計算手段２０は、図４に示すように、上辺および下辺の実スピーカアレイ４０Ｔおよび４０Ｂを、それぞれ、表示部ＤＩＳの垂直方向中央の仮想スピーカアレイ４０Ｈに対応させ、左辺および右辺の実スピーカアレイ４０Ｌおよび４０Ｒを、それぞれ、表示部ＤＩＳの水平方向中央の仮想スピーカアレイ４０Ｖに対応させて仮想スピーカアレイを構成する。
【００２１】
以下、駆動信号計算手段２０によるスピーカアレイ４０への駆動信号の具体的な計算方法について詳述する。
【００２２】
まず、スピーカアレイを駆動する方法として、第１種レイリー積分が知られている。スピーカアレイ中のスピーカ位置をｒ（ｒ＝（ｘ，ｙ，ｚ））、形成すべき仮想音像位置をｒｓ（ｒｓ＝（ｘｓ，ｙｓ，ｚｓ））とすると、第１種レイリー積分による当該スピーカの駆動信号ｑｒ（ｔ）は、式（１）により計算することができる。ここでｃは音速を表し、Ｓ（ｔ）は２２．２チャネル音響の各チャネルの時刻ｔにおける入力信号を表す関数である。
【００２３】
【数１】
2013051643.tif 000003
【００２４】
駆動信号計算手段２０は、例えば２２．２チャネル音響のうち、図２に示すＴｐＦＬチャネルなど、実スピーカアレイ４０上に位置するチャネルの駆動信号については、式（１）により、実スピーカアレイ４０に含まれる各実スピーカへの駆動信号を計算することができる。
【００２５】
次に、仮想スピーカアレイを構成する場合の駆動信号の計算について詳述する。位置ｒの実スピーカに対応する仮想スピーカの位置をｒ’（ｒ’＝（ｘ’，ｙ’，ｚ’））とする。このとき、この仮想スピーカを駆動する信号ｑｒ’（ｔ）は、第１種レイリー積分を用いて、式（１）と同様に、式（２）により与えられる。
【００２６】
【数２】
2013051643.tif 000004
【００２７】
ここで、視聴者の聴取位置に対応する受音位置ｒＡとし、スピーカを点音源で近似できるとすると、式（２）に基づき、位置ｒ’の仮想スピーカを駆動することによって、受音位置ｒＡで観測される音圧は、式（３）で表される。ここで、Ｇはスピーカから単位距離離れた点での音圧と単位駆動信号との比例定数である。
【００２８】
【数３】
2013051643.tif 000005
【００２９】
一方、実スピーカアレイ４０のうち、位置rの実スピーカに駆動信号ｑｒ（ｔ）を入力した場合に受音位置ｒＡで観測される音圧は、式（３’）により表される。
【００３０】
【数４】
2013051643.tif 000006
【００３１】
ここで、位置ｒ’にある仮想スピーカからの音圧（式（３））を、位置ｒにある実スピーカからの音圧として得るためには、式（３）と（３’）とが等しくなるように、駆動信号ｑｒ（ｔ）を求めればよい。式（３）と式（３’）との等式を解くと、仮想スピーカアレイによる補正後の駆動信号ｑｒ（ｔ）を式（４）と通り得ることができる。
【００３２】
【数５】
2013051643.tif 000007
【００３３】
駆動信号計算手段２０は、２２．２チャネル音響のうち、ＦＣチャネル、ＦＬｃチャネル、ＦＲｃチャネルなど、実スピーカが存在しない表示部ＤＩＳ内のチャネルの入力信号については、式（４）に従い各スピーカアレイ４０の駆動信号を計算する。なお、上述の計算式は、仮想スピーカアレイ中の１つの仮想スピーカによる音圧を、実スピーカアレイ４０の１つの実スピーカで再現する方法を与えたが、仮想スピーカアレイの全ての仮想スピーカによる音圧を、実スピーカアレイ４０の全ての実スピーカで与えるように計算可能であることは言うまでもない。
【００３４】
駆動信号計算手段２０は、ＴｐＦＬチャネルのように、実スピーカが存在するチャネルの入力信号については、式（１）に従い各スピーカアレイ４０の駆動信号を計算する。駆動信号計算手段２０は、式（１）又は式（４）により計算した駆動信号を増幅器３０に出力する。
【００３５】
増幅器３０は、駆動信号計算手段２０からの駆動信号を増幅し、スピーカアレイ４０の各スピーカに出力する。
【００３６】
スピーカアレイ４０の各スピーカは、増幅器３０より入力される駆動信号をそれぞれ音に変換して放射する。
【００３７】
以下、本発明に係るスピーカアレイ駆動装置１による音響特性の評価結果について詳述する。図５は、シミュレーション環境におけるスピーカアレイ４０の構成および視聴者の聴取位置（受音位置）を示す図である。本シミュレーションにおけるスピーカアレイ４０は、表示部ＤＩＳの周りの横１．５８ｍ、縦１．０ｍのフレーム上に、直径４．５ｃｍの実スピーカが６０個配置されている。また、仮想音源からは１ｋＨｚ正弦波が放射されるものとし、１ｋＨｚ正弦波の合成波面と、仮想音源から聴取位置（ｘ，ｙ，ｚ）＝（０，０，１）までの伝達関数の周波数特性について評価を行った。
【００３８】
（比較例１）
図６は、従来方式である式（１）を用いて、２２．２チャネル音響のＴｐＦＬチャネルの位置（ｘｓ，ｙｓ，ｚｓ）＝（−０．７９，０．５，０．０１）に仮想音像を形成した場合のシミュレーション結果を示す図である。ここに、ｚｓを０ではなく０．０１と設定したのは、式（１）のｚ−ｚｓが０になるのを防ぐためである。表示部ＤＩＳの左上に位置するＴｐＦＬチャネルには、スピーカアレイ４０（実スピーカ）が存在するため、合成波面の形状や周波数特性ともに良好な結果が得られている。
【００３９】
（比較例２）
図７は、従来方式である式（１）を用いて、２２．２チャネル音響のＦＣチャネルの位置（ｘｓ，ｙｓ，ｚｓ）＝（０，０，０．０１）に仮想音像を形成した場合のシミュレーション結果を示す図である。表示部ＤＩＳ中央に位置するＦＣチャネルには、スピーカアレイ４０（実スピーカ）が存在しないため、図６に示すＴｐＦＬチャネルの実験結果に比べて、合成波面の形状や周波数特性ともに乱れが見られる。特に周波数特性の乱れは顕著であり、このように、実スピーカが存在しない位置での仮想音像は、音色が大きく損なわれることが予想される。
【００４０】
（実施例）
図８は、本発明に係る式（４）を用いて、２２．２チャネル音響のＦＣチャネルの位置（ｘｓ，ｙｓ，ｚｓ）＝（０，０，０．０１）に仮想音像を形成した場合のシミュレーション結果を示す図である。本発明により、合成波面の乱れが解消されているだけでなく、周波数特性も山谷が少なくなっている。このような周波数特性であれば、高域の持ち上がりなどはイコライザー等によって容易に補正可能であり、本発明により、音響特性が大きく改善されていることがわかる。
【００４１】
このように、本実施形態によれば、駆動信号計算手段２０は、スピーカが存在しない領域に仮想音像を形成する場合、仮想音像の位置に基づく仮想スピーカアレイを構成し、仮想スピーカアレイを駆動した場合に受音位置で得られる音波と等しい音波をスピーカアレイ４０から放射するように、スピーカアレイ４０の駆動信号を補正する。これにより、映像ディスプレイの周囲に設置可能なスピーカアレイにおいて、実際のスピーカが配置されていない仮想音像からの音波の合成波面や音の周波数特性を改善することができる。
【００４２】
また、本実施形態によれば、スピーカアレイ４０は内部に表示部ＤＩＳを備え、駆動信号計算手段２０は、マルチチャネル音響方式（２２．２チャネル音響）のチャネルのうち、視聴者前方のチャネルであって、表示部ＤＩＳ内に位置するチャネル（ＦＬｃ、ＦＣ、ＦＲｃ）の駆動信号について、当該チャネルの位置に基づく仮想スピーカアレイを構成して駆動信号の補正を行う。これにより、例えば、スーパーハイビジョン用の２２．２チャネル音響信号の前方１１チャネルを、映像ディスプレイの周りに配したスピーカアレイによって、高音質で再生することが可能となり、将来の３次元音響の家庭導入が促進される。
【００４３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部材、各手段などに含まれる機能などは論理的に矛盾しないように再配置可能であり、複数の構成部や手段などを１つに組み合わせたり、或いは分割したりすることが可能である。
【００４４】
例えば、仮想スピーカアレイの配置は、必ずしも形成する仮想音像上である必要はなく、駆動信号計算手段２０は、仮想音像の位置に基づき、その近傍や周囲に仮想スピーカを配置することができる。図９は、実スピーカアレイと仮想スピーカアレイとの対応の変形例を示す図である。例えば、２２．２チャネル音響のうち、表示部ＤＩＳ中央のＦＣチャネルの仮想音像を形成する場合、図２に示すように、ＦＣチャネルの位置には実スピーカアレイ４０は存在しない。そのため、駆動信号計算手段２０は、図９に示すように、表示部中央を取り囲むように、上辺および下辺の実スピーカアレイ４０Ｔおよび４０Ｂを、それぞれ、水平方向の仮想スピーカアレイ４０Ｈ１および４０Ｈ２に対応させ、左辺および右辺の実スピーカアレイ４０Ｌおよび４０Ｒを、それぞれ、垂直方向の仮想スピーカアレイ４０Ｖ１および４０Ｖ２に対応させて仮想スピーカアレイを構成することができる。
【００４５】
また、上記実施形態においては、表示部ＤＩＳの中央に仮想音像を形成する例を基に説明を行ったが、例えば２２．２チャネル音響のＦＬｃチャネルやＦＲｃチャネルなど、表示部ＤＩＳの中央以外の位置に仮想音像を形成する場合にも適用可能である。例えば、ＦＬｃチャネルの位置に仮想音像を形成する場合には、図４に示す垂直方向の仮想スピーカアレイ４０Ｖを、ｘ軸方向左側に移動させ、図２に示すＦＬｃチャネル上の位置に構成することが可能である。
【００４６】
また、上記実施形態においては、表示部ＤＩＳを方形状の映像ディスプレイとして説明を行ったが、本発明は、方形状のディスプレイに限らず中央部分にスピーカを有しない任意のスピーカアレイに適応可能である。
【００４７】
また、上記実施形態においては、仮想音像位置を固定した場合について説明を行ったが、仮想スピーカアレイの位置を時間的に連続して変化させることによって、音像を移動させる場合にも適応可能である。
【産業上の利用可能性】
【００４８】
本発明によれば、映像ディスプレイの周囲に配置可能なスピーカアレイにおいて、実際のスピーカが配置されていない仮想音像からの音波の合成波面や音の周波数特性を改善することができるという有用性がある。
【符号の説明】
【００４９】
１  スピーカアレイ駆動装置
１０  信号分配器
２０  駆動信号計算手段
３０  増幅器
４０  スピーカアレイ
ＤＩＳ  表示部
【図１】
2013051643.tif 000008
【図２】
2013051643.tif 000009
【図３】
2013051643.tif 000010
【図４】
2013051643.tif 000011
【図５】
2013051643.tif 000012
【図９】
2013051643.tif 000013
【図６】
2013051643.tif 000014
【図７】
2013051643.tif 000015
【図８】
2013051643.tif 000016